(57)【要約】【課題】印刷された日付や時刻の信憑性が高い印刷物を作成することができる印刷装置、および印刷装置の制御方法を提供する。【解決手段】日付および時刻を計測するＲＴＣ１４０と、パスワードの入力、並びに日付および時刻を編集するためのキーボード３と、ＲＴＣ１４０の計測結果である日時情報を、印刷テープに印刷する印刷ヘッド７と、を備えたテープ印刷装置１により、日時情報が印刷された日時ラベルを作成する。日時ラベルには、日時情報以外に、日時ラベルのみに印刷される特殊キャラクタ、ユーザが入力した任意の情報、並びにテープ印刷装置１の固有情報（テープ印刷装置１の機種名やシリアルナンバー）が印刷される。【選択図】図２
2010094826.tif 000002
【特許請求の範囲】
【請求項１】
日付および時刻の少なくとも一方を計測する時計手段と、
前記日付および前記時刻の少なくとも一方を編集するためのパスワードを入力するパスワード入力手段と、
前記パスワードの入力後、前記日付および前記時刻の少なくとも一方を編集する編集手段と、
前記時計手段の計測結果である日時情報を取得する日時情報取得手段と、
前記日時情報を印刷媒体に印刷する印刷手段と、を備えたことを特徴とする印刷装置。
【請求項２】
印刷装置に割り当てられた固有情報を取得する固有情報取得手段をさらに備え、
前記印刷手段は、前記日時情報と共に、前記固有情報を印刷することを特徴とする請求項１に記載の印刷装置。
【請求項３】
任意の情報を入力する情報入力手段をさらに備え、
前記印刷手段は、前記日時情報と共に、前記任意の情報を印刷することを特徴とする請求項１または２に記載の印刷装置。
【請求項４】
前記任意の情報として入力不可能な特殊キャラクタを記憶する特殊キャラクタ記憶手段をさらに備え、
前記印刷手段は、前記日時情報と共に、前記特殊キャラクタを印刷することを特徴とする請求項３に記載の印刷装置。
【請求項５】
前記日時情報の印刷を指示する日時情報印刷指示手段をさらに備え、
前記日時情報取得手段および前記印刷手段は、前記日時情報印刷指示手段の指示をトリガとして、動作することを特徴とする請求項１に記載の印刷装置。
【請求項６】
日付および時刻の少なくとも一方を計測する時計機能を有する印刷装置の制御方法であって、
前記印刷装置が、
前記日付および前記時刻の少なくとも一方を編集するためのパスワードを取得するステップと、
前記日付および時刻の少なくとも一方の編集結果を、前記時計機能に反映するステップと、
前記時計機能の計測結果である日時情報を、印刷媒体に印刷するステップと、を実行することを特徴とする印刷装置の制御方法。
【発明の詳細な説明】
【技術分野】
【０００１】
時計機能を有する印刷装置、および印刷装置の制御方法に関する。
【背景技術】
【０００２】
従来、この種の印刷装置として、日付や時刻を刻む時計手段と、時計手段から日時情報（時計データ）を読み出す日時情報読出し手段と、読み出した日時情報に基づいて印刷媒体上に日付や時刻を印刷させる印刷手段と、を備えたテープ印刷装置が知られている（例えば、特許文献１）。このテープ印刷装置は、日付や時刻を手入力する必要がないため、日時情報が印刷された印刷物（ラベル）を容易に作成することができるといった利点がある。
【０００３】
ところで、このような印刷物は、電池や蛍光灯を交換した交換日、または電子機器を購入した購入日などを印刷して、対象商品に貼付しておくことにより、交換時期の目安とすることができる。また、各種記録証や決済文書に貼付して、それらの書類の日時を証明したり、オリエンテーリングにおいて通過ポイントに到達した日時を証明したりなど、日時を証明するためにも用いられる。
【特許文献１】特開平８−１６４６５６号公報
【発明の開示】
【発明が解決しようとする課題】
【０００４】
ところが、上記のような時計機能を有するテープ印刷装置は、日付や時刻を編集（修正）できるものが一般的である。このため、印刷された日付や時刻が、正確なものであるか信憑性が低いといった問題がある。特に、上記のように、日時を証明するために用いられる場合は、この点が大きな課題となっている。
【０００５】
本発明は、このような問題点に鑑み、印刷された日付や時刻の信憑性が高い印刷物を作成することができる印刷装置、および印刷装置の制御方法を提供することを目的とする。
【課題を解決するための手段】
【０００６】
本発明の印刷装置は、日付および時刻の少なくとも一方を計測する時計手段と、日付および時刻の少なくとも一方を編集するためのパスワードを入力するパスワード入力手段と、パスワードの入力後、日付および時刻の少なくとも一方を編集する編集手段と、時計手段の計測結果である日時情報を取得する日時情報取得手段と、日時情報を印刷媒体に印刷する印刷手段と、を備えたことを特徴とする。
【０００７】
本発明の印刷装置の制御方法は、日付および時刻の少なくとも一方を計測する時計機能を有する印刷装置の制御方法であって、印刷装置が、日付および時刻の少なくとも一方を編集するためのパスワードを取得するステップと、日付および時刻の少なくとも一方の編集結果を、時計機能に反映するステップと、時計機能の計測結果である日時情報を、印刷媒体に印刷するステップと、を実行することを特徴とする。
【０００８】
これらの構成によれば、日付および時刻の少なくとも一方を編集するために、パスワードの入力が必要となるため、第三者による日時の改ざんを防止することができ、結果的に、印刷物に印刷された日付や時刻の信憑性（信頼性）を高めることができる。なお、そもそも印刷装置を、編集機能を有しない構成とすることで、日時の改ざんを防止できるが、初期設定時に誤った日時が設定される可能性もあるため、そのような場合でも対応が容易である。
【０００９】
上記に記載の印刷装置において、印刷装置に割り当てられた固有情報を取得する固有情報取得手段をさらに備え、印刷手段は、日時情報と共に、固有情報を印刷することが好ましい。
【００１０】
この構成によれば、日時情報と共に固有情報が印刷された印刷物を作成することができるため、どの印刷装置で印刷されたものであるかを特定することができる。つまり、管理された印刷装置で印刷されたことを証明できるため、印刷物の信憑性を高めることができる。
なお、「固有情報」は、工場出荷時に書き込まれる製造番号（シリアルナンバー）など、書き換え不可能な情報であることが好ましい。この構成によれば、印刷物の信憑性をより高めることができる。また、「固有情報」は、複数の情報であっても良い（例えば、製造番号と機種名など）。
【００１１】
上記に記載の印刷装置において、任意の情報を入力する情報入力手段をさらに備え、印刷手段は、日時情報と共に、任意の情報を印刷することが好ましい。
【００１２】
この構成によれば、日時情報と共に任意の情報が印刷された印刷物を作成することができるため、印刷物を多用途に利用できる。
【００１３】
上記に記載の印刷装置において、任意の情報として入力不可能な特殊キャラクタを記憶する特殊キャラクタ記憶手段をさらに備え、印刷手段は、日時情報と共に、特殊キャラクタを印刷することが好ましい。
【００１４】
この構成によれば、日時情報と共に特殊キャラクタが印刷されるため、日時情報が「任意の情報」として入力されたものではないことを証明することができる。これにより、印刷物の信憑性（印刷された日付や時刻の信憑性）をより高めることができる。
【００１５】
上記に記載の印刷装置において、日時情報の印刷を指示する日時情報印刷指示手段をさらに備え、日時情報取得手段および印刷手段は、日時情報印刷指示手段の指示をトリガとして、動作することが好ましい。
【００１６】
この構成によれば、日時情報印刷指示手段の指示だけで、日時情報取得手段および印刷手段を動作させることができるため、操作が容易である。
【発明を実施するための最良の形態】
【００１７】
以下、本発明の一実施形態について、添付図面を参照しながら詳細に説明する。本実施形態では、印刷装置として、情報入力からテープ状媒体への印刷（ラベル作成）までの一連の処理を行うテープ印刷装置を例示する。
【００１８】
図１は、本実施形態に係るテープ印刷装置１の開閉蓋２１を開いた状態の外観斜視図である。図１に示すようにテープ印刷装置１は、装置ケース２により外郭が形成され、装置ケース２の前部上面には各種入力キーを備えたキーボード３が配置されると共に、後部上面には、その左部に開閉蓋２１が取り付けられ、その右部には表示画面４１が配設されている。開閉蓋２１の内側にはテープカートリッジＣを装着するためのカートリッジ装着部６が窪入形成されており、テープカートリッジＣは、開閉蓋２１を開放した状態でカートリッジ装着部６に着脱可能に装着される。また、開閉蓋２１にはこれを閉じた状態でテープカートリッジＣの装着／非装着を視認するための覗き窓２１ａが形成されている。
【００１９】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサ等と同様である。また、機能キー群３ｂには、「印刷キー」、「カーソルキー」、「確定キー」、「タイムスタンプキー」および「日時設定キー」が含まれる。
【００２０】
「印刷キー」は、印刷実行を指示するためのキーである。「カーソルキー」は、上下左右キー（［↑］，［↓］，［←］，［→］）から成り、カーソル移動やスクロール操作を行うためのキーである。また、「確定キー」は、選択候補（選択肢）の選択および確定操作を行うためのキーである。
【００２１】
一方、「タイムスタンプキー」は、詳細については後述するが、図３に示すような日時ラベルＬの作成を指示するためのキーである。なお、日時ラベルＬを作成する場合、上記の「印刷キー」の操作は不要である。
【００２２】
また、「日時設定キー」は、テープ印刷装置１に設けられている時計機能の日時設定を編集するためのキーである。なお、日時設定を編集するためには、パスワードの入力が条件となっており、ユーザにより「日時設定キー」が押されると、そのパスワードの入力を促す。これに対し、ユーザにより正しいパスワードが入力されると、「日時設定の編集」または「パスワードの変更」のいずれかの処理を行い得るようになっている（図４のＳ１４参照）。
【００２３】
表示画面４１は、液晶ディスプレイであり、ユーザがキーボード３を用いて入力した入力情報に基づく編集結果、および当該編集結果に基づいて生成された印刷データ等を確認したりする際に用いられる。
【００２４】
装置ケース２の左側部には、カートリッジ装着部６と外部とを連通するテープ排出口２２が形成され、このテープ排出口２２には、送り出した印刷テープＴを切断するためのテープカッタ２３が臨んでいる。そして、テープ排出口２２から印刷済みの印刷テープＴが所定長さだけ送り出され、送りを一旦停止させた状態で、この印刷済みの印刷テープＴをテープカッタ２３により切断して、短冊状のラベル（図３に示す日時ラベルＬなど）を作成する。なお、切断処理については、オートカットとマニュアルカットとを切り替え可能であり、定長印刷などの場合にはオートで、任意長印刷などの場合にはカットキーをユーザが操作することによりマニュアルで、カッタモータ２５（図２参照）を駆動する。
【００２５】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、プラテン駆動軸６２および巻き取り駆動軸６３を回転させるテープ送りモータ２６（図２参照）が内蔵されている。
【００２６】
テープカートリッジＣは、カートリッジケース５１内部の上部中央部に、一定の幅（４ｍｍ〜４８ｍｍ程度）の印刷テープＴを巻回したテープリール１７と、右下部にインクリボンＲを巻回したリボンリール１９とを収容して構成されており、印刷テープＴとインクリボンＲは同じ幅で構成されている。また、テープリール１７の左下部には前記ヘッドユニット６１を覆うヘッドカバー６１ａが差し込まれるための貫通孔５５が形成されている。さらに、貫通孔５５に差し込まれたヘッドユニット６１は、印刷テープＴとインクリボンＲとが重なる部分に対応して、前記プラテン駆動軸６２に嵌合されて回転駆動するプラテンローラ５３が配置されている。一方、前記リボンリール１９に近接してリボン巻き取りリール５４が配置され、リボンリール１９から繰り出されたインクリボンＲは、ヘッドカバー６１ａを周回するように配置され、リボン巻き取りリール５４に巻き取られるようになっている。
【００２７】
テープカートリッジＣがカートリッジ装着部６に装着されると、ヘッドカバー６１ａに貫通孔５５が、位置決め突起６４にテープリール１７の中心孔が、巻き取り駆動軸６３にリボン巻き取りリール５４の中心孔がそれぞれ差し込まれ、印刷テープＴおよびインクリボンＲを挟み込んで印刷ヘッド７がプラテンローラ５３に当接して印刷が可能になる。その後、ユーザが表示画面４１の編集結果を確認しながらキーボード３により所望のテキスト（文字、数字、記号、簡易図形等のキャラクタ）や画像を入力し、「印刷キー」や「タイムスタンプキー」の押下によって印刷を指示すると、テープ印刷装置１は、テープ送りモータ２６によりテープカートリッジＣから印刷テープＴを繰り出し、印刷ヘッド７の発熱素子を選択的に発熱させることにより印刷テープＴに所望の印刷を行う。印刷テープＴの印刷済み部分はテープ排出口２２から随時外部に送り出され、印刷を完了すると、テープ送りモータ２６は、余白分を含むテープ長さの位置まで印刷テープＴの送りを行った後、その送りを停止する（その後、切断処理に移行する）。
【００２８】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース５１内に収容されている。また、印刷テープＴは、テープ種別（テープ幅、テープの地色、地模様、材質（質感）など）が異なる複数種のものが用意されており、各カートリッジケース５１には、このうち１種類の印刷テープＴ（およびインクリボンＲ）が収容されている。また、カートリッジケース５１の裏面にはテープカートリッジＣの種別を特定する複数の孔（図示省略）が設けられている。また、複数の孔に対応してカートリッジ装着部６には、これらを検出するテープ識別センサ（マイクロスイッチ等）２７（図２参照）が、複数設けられており、このテープ識別センサ２７により複数の孔の状態を検出することで、テープ種別を判別できるようになっている。
【００２９】
次に、図２の制御ブロック図を参照し、テープ印刷装置１の制御構成について説明する。テープ印刷装置１は、中央処理装置であるＣＰＵ（Central Processing Unit）１１０、ＲＡＭ（Random Access Memory）１２０、ＲＯＭ（Read Only Memory）１３０、ＲＴＣ（Real Time Clock）１４０、表示画面４１、キーボード３、カッタモータ２５、テープカッタ２３、テープ送りモータ２６、印刷ヘッド７およびテープ識別センサ２７を備え、各構成要素は、バス１５０を介して接続されている。
【００３０】
ＲＡＭ１２０は、ＣＰＵ１１０と直接接続されており、ＣＰＵ１１０が各種制御を行う際のワークエリアとして用いられる。また、ＲＡＭ１２０は、上記のパスワードを記憶するためのパスワード記憶領域１２１を有している。なお、ＲＡＭ１２０は、不図示のバックアップ電源により、電源切断後も情報を保持できるようになっている。
【００３１】
ＲＯＭ１３０は、ＣＰＵ１１０が各種制御を行うための制御プログラムおよび各種情報を記憶している。制御プログラムとしては、具体的に、表示画面４１の表示制御を行うための表示制御プログラム、各種編集処理を行うための編集処理プログラムおよび印刷処理を行うための印刷処理プログラム等を含む（図示省略）。
【００３２】
また、ＲＯＭ１３０は、各種情報を記憶するための領域として、固有情報記憶領域１３１およびキャラクタ記憶領域１３２を有している。固有情報記憶領域１３１は、テープ印刷装置１の機種名および製造番号（以下、「シリアルナンバー」と称する）などの固有情報８３（図３（ａ），（ｂ）参照）を記憶するものである。また、キャラクタ記憶領域１３２は、表示画面４１への表示、または印刷テープＴへの印刷に用いられるキャラクタ一覧を記憶するものである。当該キャラクタ一覧には、日時ラベルＬのみを対象として印刷される特殊キャラクタ８１（図３（ａ），（ｂ）参照）が含まれる（特殊キャラクタ記憶手段）。この特殊キャラクタ８１は、キー入力（文字キー群３ａを用いた入力、または記号一覧を呼び出し、選択することによる入力）が不可能となっており、日時ラベルＬの信憑性を高めるため、ＲＴＣ１４０の計測結果である日時情報８２（図３（ａ），（ｂ）参照）に対し、付加情報として印刷されるものである。つまり、この特殊キャラクタ８１は、「タイムスタンプキー」の押下による、信憑性の高い日時ラベルＬであることを証明するために印刷される。
【００３３】
ＲＴＣ１４０は、日付および時刻を計測するための時計手段として機能する。なお、ＲＴＣ１４０は、日付または時刻のいずれか一方のみを計測しても良い。表示画面４１は、編集結果や印刷レイアウトを表示するための表示手段として機能する。キーボード３は、ユーザが任意の情報を入力する情報入力手段、ＲＴＣ１４０の日時設定を編集する編集手段、日時設定の編集を行うためのパスワードを入力するパスワード入力手段、日時ラベルＬの印刷を指示する日時情報印刷指示手段、および各種選択および設定を行うための選択・設定手段として機能する。
【００３４】
カッタモータ２５は、テープカッタ２３と接続され、切断手段として機能する。また、テープ送りモータ２６および印刷ヘッド７は、印刷テープＴ上に印刷を行うための印刷手段として機能する。上記のとおり、印刷ヘッド７およびテープ識別センサ２７は、カートリッジ装着部６に設けられ、テープ識別センサ２７は、テープカートリッジＣに収容された印刷テープＴの種別を検出する。ＣＰＵ１１０は、このテープ識別センサ２７の検出結果に基づいて、装着されたテープカートリッジＣ（テープカートリッジＣに収容された印刷テープＴのテープ幅や材質等）が日時ラベルＬの作成用として適切であるか否かを判別したり、テキストとして入力可能な行数および文字数を制限したり等の制御を行う。なお、日時ラベルＬの作成用として不適切なテープカートリッジＣが装着されている状態で、「タイムスタンプキー」が押されると、印刷が実行できない旨を表示画面４１に表示する。また、ＣＰＵ１１０は、表示画面４１の表示処理や印刷データの生成処理を制御する（印刷データ生成手段）と共に、印刷動作や切断動作の駆動制御を行う。なお、ＣＰＵ１１０により実現される具体的な処理については、後述する。
【００３５】
次に、図３を参照し、日時ラベルＬに印刷される内容について説明する。図３（ａ）は、何ら情報が入力されていない状態で「タイムスタンプキー」が押された場合の印刷結果を示したものであり、図３（ｂ）は、任意の情報が入力された状態で「タイムスタンプキー」が押された場合の印刷結果を示したものである。ここでは、機種名「ＳＲ１０００」およびシリアルナンバー「1234567890」のテープ印刷装置１において、ＲＴＣ１４０の計測結果が「２００８年７月１０日１４時２１分」のときに「タイムスタンプキー」が押された場合を例示している。
【００３６】
図３（ａ）に示すように、ユーザにより何ら情報が入力されていない場合は、３行構成の１行目に、特殊キャラクタ８１と、ＲＴＣ１４０の計測結果（日時情報）８２を印刷する。また、２行目は空欄とし、３行目には、テープ印刷装置１の固有情報８３（テープ印刷装置１の機種名およびシリアルナンバー）を印刷する。一方、図３（ｂ）に示すように、ユーザにより任意の情報（ここでは、「文書名：研究開発における業務計画書」）が入力されている場合は、図３（ａ）の印刷結果に加え、２行目に、その任意の情報８４を印刷する。当該任意の情報８４は、他の情報８１〜８３と区別できるように、網掛けの装飾が施される。
【００３７】
なお、これら各情報の配置、フォント（フォント種類およびサイズ）、装飾については、予めフォーマットとしてＲＯＭ１３０内に記憶されている。したがって、複数のフォーマットを記憶しておき、その中から好みのフォーマットを選択できる構成としても良い。また、フォーマットについては、ユーザが好みに応じて編集できるようにしても良い。さらに、任意の情報８４に施される装飾の種類を、ユーザが指定できるようにしても良い。
【００３８】
次に、図４および図５のフローチャートを参照し、ＣＰＵ１１０により実現される具体的な処理について説明する。なお、図面上、長方形の枠は、テープ印刷装置１（ＣＰＵ１１０）が主体となる工程を示し、台形の枠は、ユーザの操作を伴う工程を示す。
【００３９】
図４は、日時設定の編集・パスワード変更処理を示すフローチャートである。テープ印刷装置１（ＣＰＵ１１０）は、ユーザにより「日時設定キー」が押されると（Ｓ１１）、表示画面４１上にパスワード入力画面を表示する（Ｓ１２）。ここで、ユーザにより正しいパスワードが入力され、さらに「確定キー」が押されると（Ｓ１３）、表示画面４１上に「日時設定の編集」または「パスワードの変更」のいずれの処理を行うかについて選択するための選択画面を表示する（Ｓ１４）。なお、Ｓ１３において、正しいパスワード（パスワード記憶領域１２１に記憶されているパスワード）が入力されなかった場合、再度パスワード入力画面を表示し、パスワードの入力を促す。
【００４０】
Ｓ１４で表示した選択画面において、「日時設定の編集」が選択されると（Ｓ１５）、表示画面４１上に日時設定を編集するための日時編集画面を表示する（Ｓ１６）。当該日時編集画面には、ＲＴＣ１４０の現在の計測結果を表示し、ユーザが必要に応じて、日付および／または時刻を編集（修正）できるようになっている。ユーザにより、日時が編集され、さらに「確定キー」が押されると（Ｓ１７）、処理を終了する。なお、Ｓ１７における編集結果は、ＲＴＣ１４０の計時に反映される。
【００４１】
一方、Ｓ１４で表示した選択画面において、「パスワードの変更」が選択されると（Ｓ１８）、表示画面４１上に新規のパスワードを入力するための新規パスワード入力画面を表示する（Ｓ１９）。ユーザにより、新規パスワードが入力され、さらに「確定キー」が押されると（Ｓ２０）、処理を終了する。
【００４２】
次に、図５のフローチャートを参照し、日時ラベルＬの作成処理について説明する。ユーザにより任意の情報が入力された後（Ｓ３１）、「タイムスタンプキー」が押されると（Ｓ３２）、テープ印刷装置１（ＣＰＵ１１０）は、まずＲＴＣ１４０の計測結果である現在の日時情報を取得する（Ｓ３３，日時情報取得手段）。続いて、ＲＡＭ１２０内のワークエリア（図示省略）から、Ｓ３１において入力済みの任意の情報を取得し（Ｓ３４）、ＲＯＭ１３０内の固有情報記憶領域１３１から、テープ印刷装置１の固有情報を取得する（Ｓ３５，固有情報取得手段）。さらに、テープ印刷装置１は、ＲＯＭ１３０内のキャラクタ記憶領域１３２から、特殊キャラクタ８１（図３（ａ），（ｂ）参照）を読み出し（Ｓ３６）、Ｓ３３〜Ｓ３６の取得結果および読み出し結果に基づいて、印刷データを生成する（Ｓ３７）。なお、Ｓ３３〜Ｓ３６の取得・読み出し順序は任意である。
【００４３】
その後、テープ印刷装置１は、生成した印刷データに基づいて、印刷ヘッド７の駆動により、印刷テープＴ上に印刷を行い（Ｓ３８）、さらにカッタモータ２５の駆動により印刷済み部分を切断して（Ｓ３９）、図３（ｂ）に示したような日時ラベルＬを作成する。なお、Ｓ３１を省略した場合は、図３（ａ）に示したような日時ラベルＬ（図３（ｂ）に示した日時ラベルＬに対して網掛け部分８４が省略された日時ラベルＬ）が作成される。
【００４４】
以上、説明したとおり、本実施形態のテープ印刷装置１によれば、日時を編集するために、パスワードの入力を条件としているため、第三者による日時の改ざんを防止することができ、ひいては信憑性が高い日時ラベルＬを作成することができる。また、日時ラベルＬには、テープ印刷装置１の機種名やシリアルナンバーが印刷されるため、どのテープ印刷装置１で印刷されたものであるかを特定することができ、より日時ラベルＬの信憑性を高めることができる。さらに、日時ラベルＬには、特殊キャラクタ８１が印刷されるため、日時情報が「任意の情報」として入力されたものではないことを証明することができる。
【００４５】
また、日時ラベルＬには、ユーザが入力した任意の情報を印刷することができるため、電子機器や電池の管理ラベル、または日時を証明するためのラベルなど、その用途を広げることができる。さらに、ユーザは「タイムスタンプキー」を押すだけで、現在の日時情報の取得、任意の情報の取得、シリアルナンバーの取得、特殊キャラクタ８１の読み出しおよび印刷処理（印刷データの生成、印刷、切断処理）など、日時ラベルＬの作成に関する一連の処理を実行できるため、操作が容易である。
【００４６】
なお、上記の実施形態では、テープ印刷装置１を例示したが、印刷テープＴ以外の印刷媒体に印刷を行う印刷装置にも、本発明を適用可能である。
【００４７】
また、上記の実施形態に示した、テープ印刷装置１の各構成要素をプログラムとして提供することが可能である。また、そのプログラムを各種記録媒体（ＣＤ−ＲＯＭ、フラッシュメモリ等）に格納して提供することも可能である。すなわち、コンピュータを、テープ印刷装置１の各手段として機能させるためのプログラム、およびそれを記録した記録媒体も、本発明の権利範囲に含まれるものである。その他、本発明の要旨を逸脱しない範囲で、適宜変更が可能である。
【図面の簡単な説明】
【００４８】
【図１】開蓋状態のテープ印刷装置の外観斜視図である。
【図２】テープ印刷装置の制御ブロック図である。
【図３】日時ラベルの印刷例を示す図である。
【図４】日時設定の編集・パスワード変更処理を示すフローチャートである。
【図５】日時ラベルの作成処理を示すフローチャートである。
【符号の説明】
【００４９】
１…テープ印刷装置  ３…キーボード  ４１…表示画面  ８１…特殊キャラクタ  ８２…日時情報  ８３…固有情報  ８４…任意の情報  １１０…ＣＰＵ  １２０…ＲＡＭ  １２１…パスワード記憶領域  １３０…ＲＯＭ  １３１…固有情報記憶領域  １３２…キャラクタ記憶領域  １４０…ＲＴＣ  Ｔ…印刷テープ  Ｌ…日時ラベル
【図１】
2010094826.tif 000003
【図２】
2010094826.tif 000004
【図３】
2010094826.tif 000005
【図４】
2010094826.tif 000006
【図５】
2010094826.tif 000007